(57)【要約】【課題】使用済み燃料プールの燃料プール温度及び燃料プール水位を直接計測できなくなった場合でも、燃料プール温度及び燃料プール水位を継続して監視する。【解決手段】実施形態の使用済み燃料プール水監視装置１ａは、使用済み燃料プール設置機器３から燃料プールプロセスデータ１３および炉心性能計算機２から燃料組成データ１４を受信する燃料プールデータ受信処理部９と、燃料プールプロセスデータ１３ａおよび燃料組成データ１４ａを記憶する燃料プールデータ記憶部１０と、燃料組成データ１４ａに基づいて燃料の発熱量を計算して燃料プールプロセスデータ１３ａに基づいて燃料プール温度の計算値を計算する燃料プールデータ現状監視計算部１１と、燃料プール温度の計算値を表示する燃料プールデータ計算結果表示部１５と、を備える。【選択図】図１
2014074657.tif 000002
【特許請求の範囲】
【請求項１】
原子炉で用いられる燃料についての燃料組成データを計算する炉心性能計算機、および、使用済み燃料を含む前記燃料を保管する燃料プールで計測される燃料プール温度および燃料プール水位の計測値を少なくとも含む燃料プールプロセスデータを生成する使用済み燃料プール設置機器に通信可能に接続された使用済み燃料プール水監視装置であって、
前記使用済み燃料プール設置機器から前記燃料プールプロセスデータを受信し、前記炉心性能計算機から前記燃料プールに保管された前記燃料についての前記燃料組成データを受信する燃料プールデータ受信処理部と、
前記燃料プールデータ受信処理部により受信された前記燃料プールプロセスデータおよび前記燃料組成データを記憶する燃料プールデータ記憶部と、
前記燃料プールデータ記憶部に記憶された前記燃料プールに保管された前記燃料ごとの前記燃料組成データに基づいて前記燃料プールに保管された前記燃料の発熱量を計算し、当該計算した前記発熱量および前記燃料プールプロセスデータに基づいて前記燃料プール温度の計算値を計算する燃料プールデータ現状監視計算部と、
前記燃料プール温度の前記計算値を表示する燃料プールデータ計算結果表示部と、を備える
ことを特徴とする使用済み燃料プール水監視装置。
【請求項２】
前記燃料プール温度の前記計測値と前記計算値とを比較し、当該比較により前記燃料プール温度の前記計算値の差分の補正を行う現状計算値補正部をさらに備え、
前記燃料プールデータ現状監視計算部は、前記現状計算値補正部により得られる補正係数に基づいて前記燃料プール温度の前記計算値を補正し、少なくとも直近の当該補正した前記燃料プール温度の計算値を前記燃料プールデータ記憶部に記憶する
ことを特徴とする請求項１に記載の使用済み燃料プール水監視装置。
【請求項３】
前記燃料プールプロセスデータは、前記燃料プール温度および前記燃料プール水位の前記計測値に加えて、前記燃料プールに給水される燃料プール給水流量および燃料プール給水温度の計測値を含む
ことを特徴とする請求項１または請求項２に記載の使用済み燃料プール水監視装置。
【請求項４】
前記燃料プールに保管された前記燃料ごとの前記燃料組成データおよび予測開始時刻から経過時間までに対応する冷却期間に基づいて前記燃料プールに保管された前記燃料の予測発熱量を計算し、かつ、前記予測開始時刻から直近の前記燃料プール温度、前記燃料プール水位、前記燃料プール給水流量および前記燃料プール給水温度の前記計測値に基づいて前記冷却期間に応じた前記燃料プールの予測温度および予測水位を計算する燃料プールデータ予測計算部をさらに備える
ことを特徴とする請求項３に記載の使用済み燃料プール水監視装置。
【請求項５】
前記燃料プールデータ予測計算部は、前記冷却期間に応じた前記燃料プールの前記予測温度および前記予測水位を周期的に計算し、当該計算した結果を前記燃料プールデータ計算結果表示部に出力する
ことを特徴とする請求項４に記載の使用済み燃料プール水監視装置。
【請求項６】
少なくとも前記燃料組成データ、前記直近の前記燃料プール温度、前記燃料プール水位、前記燃料プール給水流量および前記燃料プール給水温度の前記計測値のいずれか一つを計算条件として受け付け、当該受け付けた計算条件を前記燃料プールデータ予測計算部に出力する予測計算可変パラメータ入力部をさらに備える
ことを特徴とする請求項４または請求項５に記載の使用済み燃料プール水監視装置。
【請求項７】
前記使用済み燃料プール設置機器が、前記燃料プールへ給水するための燃料プール給水ポンプおよび前記燃料プール給水ポンプからの給水を冷却して前記燃料プール給水温度を下げるための燃料プール冷却装置を有する場合に、
前記冷却期間に応じた前記燃料プールの前記予測温度に基づいて、前記予測温度を所定温度に保つことができる前記燃料プール給水ポンプからの前記給水について前記燃料プール給水流量および前記燃料プール冷却装置の冷却出力の少なくともいずれか一つの目標値を計算する燃料プール制御値計算部と、
前記燃料プール給水流量の前記目標値を前記燃料プール給水ポンプに送信し、前記燃料プール冷却装置の前記冷却出力の前記目標値を前記燃料プール冷却装置に送信する燃料プール制御値送信部と、をさらに備える
ことを特徴とする請求項３ないし請求項６のいずれか一項に記載の使用済み燃料プール水監視装置。
【請求項８】
原子炉の炉心について原子炉データを計算するプロセス計算機、および、使用済み燃料を含む燃料を保管する燃料プールで計測される燃料プール温度および燃料プール水位の計測値を少なくとも含む燃料プールプロセスデータを生成する使用済み燃料プール設置機器に通信可能に接続された使用済み燃料プール水監視装置であって、
前記使用済み燃料プール設置機器から前記燃料プールプロセスデータを受信し、前記プロセス計算機から前記原子炉データを受信する共通受信部と、
前記原子炉データに基づいて前記燃料プールに保管された前記燃料ごとの燃料組成データを含む炉心データを計算し、当該計算した前記燃料組成データに基づいて前記燃料プールに保管された前記燃料の発熱量を計算し、さらに前記発熱量および前記燃料プールプロセスデータに基づいて前記燃料プール温度の計算値を計算する共通現状監視計算部と、
前記共通受信部により受信された前記燃料プールプロセスデータおよび前記炉心データを記憶する共通データ記憶部と、
前記燃料プール温度の前記計算値を表示する共通表示部と、を備える
ことを特徴とする使用済み燃料プール水監視装置。
【請求項９】
原子炉で用いられる燃料についての燃料組成データを計算する炉心性能計算機および使用済み燃料を含む前記燃料を保管する燃料プールで計測される燃料プール温度および燃料プール水位の計測値を少なくとも含む燃料プールプロセスデータを生成する使用済み燃料プール設置機器に通信可能に接続された燃料プールデータ受信処理部と、前記燃料プールプロセスデータおよび前記燃料組成データを記憶する燃料プールデータ記憶部と、前記燃料プールに保管された前記燃料の発熱量および前記燃料プール温度の計算値を計算する燃料プールデータ現状監視計算部と、前記燃料プール温度の計算値を表示可能な燃料プールデータ計算結果表示部とを備えた使用済み燃料プール水監視装置を用いた使用済み燃料プール水監視方法であって、
前記燃料プールデータ受信処理部が、前記使用済み燃料プール設置機器から前記燃料プールプロセスデータを受信し、前記炉心性能計算機から前記燃料プールに保管された前記燃料についての前記燃料組成データを受信する燃料プールデータ受信処理ステップと、
前記燃料プールデータ受信処理部が、受信した前記燃料プールプロセスデータおよび前記燃料組成データを前記燃料プールデータ記憶部に記憶する燃料プールデータ記憶ステップと、
前記燃料プールデータ現状監視計算部が、前記燃料プールデータ記憶部に記憶された前記燃料ごとの前記燃料組成データに基づいて前記燃料プールに保管された前記燃料の前記発熱量を計算し、当該計算した前記発熱量および前記燃料プールプロセスデータに基づいて前記燃料プール温度の計算値を計算する前記燃料プール温度計算ステップと、
前記燃料プールデータ計算結果表示部が、前記燃料プール温度の前記計算値を表示する計算結果表示ステップと、
を含むことを特徴とする使用済み燃料プール水監視方法。
【請求項１０】
原子炉の炉心について原子炉データを計算するプロセス計算機と、前記原子炉で用いられる燃料についての燃料組成データを計算する炉心性能計算機と、燃料プールプロセスデータを生成する使用済み燃料プール設置機器と、前記炉心性能計算機および前記使用済み燃料プール設置機器に通信可能に接続された使用済み燃料プール水監視装置とを備える使用済み燃料プール水監視システムであって、
前記使用済み燃料プール設置機器は、
使用済み燃料を含む前記燃料を保管する燃料プールで計測される燃料プール温度および燃料プール水位の計測値を少なくとも含む前記燃料プールプロセスデータを生成する燃料プールプロセスデータ生成部と、
生成された前記燃料プールプロセスデータを送信する燃料プールデータ送信部と、を備え、
前記使用済み燃料プール水監視装置は、
前記燃料プールデータ送信部から前記燃料プールプロセスデータを受信し、前記炉心性能計算機から前記燃料プールに保管された前記燃料についての前記燃料組成データを受信する燃料プールデータ受信処理部と、
前記燃料プールデータ受信処理部により受信された前記燃料プールプロセスデータおよび前記燃料組成データを記憶する燃料プールデータ記憶部と、
前記燃料プールデータ記憶部に記憶された前記燃料プールに保管された前記燃料ごとの前記燃料組成データに基づいて前記燃料プールに保管された前記燃料の発熱量を計算し、当該計算した前記発熱量および前記燃料プールプロセスデータに基づいて前記燃料プール温度の計算値を計算する燃料プールデータ現状監視計算部と、
前記燃料プール温度の前記計算値を表示する燃料プールデータ計算結果表示部と、を備える
ことを特徴とする使用済み燃料プール水監視システム。
【発明の詳細な説明】
【技術分野】
【０００１】
本発明の実施形態は、使用済み燃料プール水監視装置、使用済み燃料プール水監視方法および使用済み燃料プール水監視システムに関する。
【背景技術】
【０００２】
原子力発電所にて使用される燃料棒は、原子炉内で使用している間は、原子炉内の温度、流量、圧力、など監視に必要な各パラメータを計測及び計算し、プロセス計算機を用いて中央制御室にて集中監視されている。また、炉心性能計算機にて、プロセス計算機から送られる原子炉熱水力・核計装・制御棒などのデータを用いて、原子炉内の中性子の出力分布を計算し、炉心や燃料性能を評価している。一方、燃料棒は原子炉で使用した後は使用済み燃料となる。使用済み燃料は、崩壊熱や放射線を放出するため原子炉建屋内に設置された使用済み燃料プールにて数年間保管される。使用済み燃料プールは、プロセス計算機や炉心性能計算機では監視・評価していないものの、使用済み燃料の崩壊熱を取り除くために、冷却ヒータや給水ポンプを伴う冷却システムが設置されており、使用済み燃料プールの温度や水位を監視するための検出器が設置されている。
【０００３】
使用済み燃料の崩壊熱による発熱量は、燃焼履歴に伴う使用済み燃料の組成データや冷却期間に基づき計算される。また、使用済み燃料の崩壊熱による発熱により、使用済み燃料プール温度は上昇する。ある一定以上の温度に上昇すると、蒸気の発生により使用済み燃料プールの水が失われ、水位が低下するおそれがある。その間に使用済み燃料プール用の給水ポンプにより水が給水された場合は、その分水位は上昇して温度は下降する。また、崩壊熱の一部は放熱してエネルギーが消費される。このように使用済み燃料プールの水温や水位は、エネルギー保存の法則、質量保存の法則により、ある一定条件の下で予測計算することが可能である。
【０００４】
なお、使用済燃料プール水監視装置において、使用済燃料プール壁面からオペレーションフロア床面に設けられた計器取付サポートと、計器取付サポートのうち使用済燃料プール壁面に設けられた部分に取り付けられた水位検出器とを備え、計器取付サポートのうちオペレーションフロア床面に設けられた部分をオペレーションフロア床面に固定することが知られている（例えば、特許文献１参照）。
【先行技術文献】
【特許文献】
【０００５】
【特許文献１】特開２００９−１５０７０３号公報
【発明の概要】
【発明が解決しようとする課題】
【０００６】
原子炉内の各パラメータは、プロセス計算機を用いて中央制御室にてリアルタイムで監視している。使用済み燃料プールでは温度や水位を計測するための検出器を設置して、その温度や水位を把握できるようにしているが、使用済み燃料プールに設置した温度計または水位計のいずれか一方が万が一故障した場合には、使用済み燃料プールの監視が困難となる。今後、より一層の安全性向上の観点から、使用済み燃料プールの監視強化が望まれている。
【０００７】
本発明の実施形態が解決しようとする課題は、使用済み燃料プールの燃料プール温度および燃料プール水位を直接計測することができなくなった場合においても、燃料プール温度および燃料プール水位を継続して監視することができる使用済み燃料プール水監視装置、使用済み燃料プール水監視方法および使用済み燃料プール水監視システムを提供することである。
【課題を解決するための手段】
【０００８】
上記課題を解決するために、一つの実施形態の使用済み燃料プール水監視装置は、原子炉で用いられる燃料についての燃料組成データを計算する炉心性能計算機、および、使用済み燃料を含む前記燃料を保管する燃料プールで計測される燃料プール温度および燃料プール水位の計測値を少なくとも含む燃料プールプロセスデータを生成する使用済み燃料プール設置機器に通信可能に接続された使用済み燃料プール水監視装置である。当該使用済み燃料プール水監視装置は、前記使用済み燃料プール設置機器から前記燃料プールプロセスデータを受信し、前記炉心性能計算機から前記燃料プールに保管された前記燃料についての前記燃料組成データを受信する燃料プールデータ受信処理部と、前記燃料プールデータ受信処理部により受信された前記燃料プールプロセスデータおよび前記燃料組成データを記憶する燃料プールデータ記憶部と、前記燃料プールデータ記憶部に記憶された前記燃料プールに保管された前記燃料ごとの前記燃料組成データに基づいて前記燃料プールに保管された前記燃料の発熱量を計算し、当該計算した前記発熱量および前記燃料プールプロセスデータに基づいて前記燃料プール温度の計算値を計算する燃料プールデータ現状監視計算部と、前記燃料プール温度の前記計算値を表示する燃料プールデータ計算結果表示部と、を備えることを特徴とする。
【０００９】
また、上記課題を解決するために、他の実施形態の使用済み燃料プール水監視装置は、原子炉の炉心について原子炉データを計算するプロセス計算機、および、使用済み燃料を含む燃料を保管する燃料プールで計測される燃料プール温度および燃料プール水位の計測値を少なくとも含む燃料プールプロセスデータを生成する使用済み燃料プール設置機器に通信可能に接続された使用済み燃料プール水監視装置である。当該使用済み燃料プール水監視装置は、前記使用済み燃料プール設置機器から前記燃料プールプロセスデータを受信し、前記プロセス計算機から前記原子炉データを受信する共通受信部と、前記原子炉データに基づいて前記燃料プールに保管された前記燃料ごとの燃料組成データを含む炉心データを計算し、当該計算した前記燃料組成データに基づいて前記燃料プールに保管された前記燃料の発熱量を計算し、さらに前記発熱量および前記燃料プールプロセスデータに基づいて前記燃料プール温度の計算値を計算する共通現状監視計算部と、前記共通受信部により受信された前記燃料プールプロセスデータおよび前記炉心データを記憶する共通データ記憶部と、前記燃料プール温度の前記計算値を表示する共通表示部と、を備えることを特徴とする。
【００１０】
また、上記課題を解決するために、実施形態の使用済み燃料プール水監視方法は、原子炉で用いられる燃料についての燃料組成データを計算する炉心性能計算機および使用済み燃料を含む前記燃料を保管する燃料プールで計測される燃料プール温度および燃料プール水位の計測値を少なくとも含む燃料プールプロセスデータを生成する使用済み燃料プール設置機器に通信可能に接続された燃料プールデータ受信処理部と、前記燃料プールプロセスデータおよび前記燃料組成データを記憶する燃料プールデータ記憶部と、前記燃料プールに保管された前記燃料の発熱量および前記燃料プール温度の計算値を計算する燃料プールデータ現状監視計算部と、前記燃料プール温度の計算値を表示可能な燃料プールデータ計算結果表示部とを備えた使用済み燃料プール水監視装置を用いた使用済み燃料プール水監視方法である。当該使用済み燃料プール水監視方法は、前記燃料プールデータ受信処理部が、前記使用済み燃料プール設置機器から前記燃料プールプロセスデータを受信し、前記炉心性能計算機から前記燃料プールに保管された前記燃料についての前記燃料組成データを受信する燃料プールデータ受信処理ステップと、前記燃料プールデータ受信処理部が、受信した前記燃料プールプロセスデータおよび前記燃料組成データを前記燃料プールデータ記憶部に記憶する燃料プールデータ記憶ステップと、前記燃料プールデータ現状監視計算部が、前記燃料プールデータ記憶部に記憶された前記燃料ごとの前記燃料組成データに基づいて前記燃料プールに保管された前記燃料の前記発熱量を計算し、当該計算した前記発熱量および前記燃料プールプロセスデータに基づいて前記燃料プール温度の計算値を計算する前記燃料プール温度計算ステップと、前記燃料プールデータ計算結果表示部が、前記燃料プール温度の前記計算値を表示する計算結果表示ステップと、を含むことを特徴とする。
【００１１】
また、上記課題を解決するために、実施形態の使用済み燃料プール水監視システムは、原子炉の炉心について原子炉データを計算するプロセス計算機と、前記原子炉で用いられる燃料についての燃料組成データを計算する炉心性能計算機と、燃料プールプロセスデータを生成する使用済み燃料プール設置機器と、前記炉心性能計算機および前記使用済み燃料プール設置機器に通信可能に接続された使用済み燃料プール水監視装置とを備える使用済み燃料プール水監視システムである。前記使用済み燃料プール設置機器は、使用済み燃料を含む前記燃料を保管する燃料プールで計測される燃料プール温度および燃料プール水位の計測値を少なくとも含む前記燃料プールプロセスデータを生成する燃料プールプロセスデータ生成部と、生成された前記燃料プールプロセスデータを送信する燃料プールデータ送信部と、を備えている。また、前記使用済み燃料プール水監視装置は、前記燃料プールデータ送信部から前記燃料プールプロセスデータを受信し、前記炉心性能計算機から前記燃料プールに保管された前記燃料についての前記燃料組成データを受信する燃料プールデータ受信処理部と、前記燃料プールデータ受信処理部により受信された前記燃料プールプロセスデータおよび前記燃料組成データを記憶する燃料プールデータ記憶部と、前記燃料プールデータ記憶部に記憶された前記燃料プールに保管された前記燃料ごとの前記燃料組成データに基づいて前記燃料プールに保管された前記燃料の発熱量を計算し、当該計算した前記発熱量および前記燃料プールプロセスデータに基づいて前記燃料プール温度の計算値を計算する燃料プールデータ現状監視計算部と、前記燃料プール温度の前記計算値を表示する燃料プールデータ計算結果表示部と、を備えていることを特徴とする。
【発明の効果】
【００１２】
本発明に係る使用済み燃料プール水監視装置、使用済み燃料プール水監視方法および使用済み燃料プール水監視システムの実施形態によれば、使用済み燃料プールの燃料プール温度および燃料プール水位を直接計測することができなくなった場合においても、燃料プール温度および燃料プール水位を継続して監視することができる。
【図面の簡単な説明】
【００１３】
【図１】本発明に係る使用済み燃料プール水監視システムの第１の実施形態の構成を示すブロック図。
【図２】第１の実施形態の使用済み燃料プール水監視装置が実行する燃料プール水計算処理を示す動作図。
【図３】第１の実施形態の使用済み燃料プール水監視装置の使用済み燃料プール水監視処理フローを示すフロー図。
【図４】本発明に係る使用済み燃料プール水監視システムの第２の実施形態の構成を示すブロック図。
【図５】本発明に係る使用済み燃料プール水監視システムの第３の実施形態の構成を示すブロック図。
【図６】本発明に係る使用済み燃料プール水監視システムの第４の実施形態の構成を示すブロック図。
【図７】本発明に係る使用済み燃料プール水監視システムの第５の実施形態の構成を示すブロック図。
【図８】炉心性能計算機の構成を示すブロック図。
【発明を実施するための形態】
【００１４】
以下、本発明に係る実施形態の使用済み燃料プール水監視装置、使用済み燃料プール水監視方法および使用済み燃料プール水監視システムについて、図面を参照して具体的に説明する。ここで、互いに同一または類似の部分には共通の符号を付して、重複説明は省略する。ここで説明する下記の実施形態はいずれも、原子炉設備における使用済み燃料プール水監視システムの一例をとりあげて説明する。
【００１５】
［第１の実施形態］
図１は、本発明に係る使用済み燃料プール水監視システムの第１の実施形態の構成を示すブロック図である。図２は、第１の実施形態の使用済み燃料プール水監視装置が実行する燃料プール水計算処理を示す動作図である。図３は、第１の実施形態の使用済み燃料プール水監視装置の使用済み燃料プール水監視処理フローを示すフロー図である。
【００１６】
図１に示す使用済み燃料プール３０（燃料プール）には、少なくとも使用済み燃料が保管される。なお、使用済み燃料プール３０に、使用前の燃料（燃料棒）も保管されてもよい。使用済み燃料プール水監視システム５０ａは、使用済み燃料プール３０を監視するシステムである。そのために、使用済み燃料プール水監視システム５０ａは、使用済み燃料プール水監視装置１ａと、使用済み燃料プール設置機器３と、炉心性能計算機２と、プロセス計算機４とを備えている。
【００１７】
プロセス計算機４は、原子炉内で使用される燃料棒を監視するために原子炉内の温度、流量、圧力などの監視に必要な各データを計算し、原子炉熱水力・核計装・制御棒などの原子炉データを監視する。プロセス計算機４は、例えば中央制御室に備えられている。
【００１８】
炉心性能計算機２は、例えばプロセス計算機４から送られる原子炉熱水力・核計装・制御棒などの原子炉データを用いて、原子炉内の中性子の出力分布を計算し、炉心や燃料性能などの炉心データを評価する。燃料性能には、例えば使用済み燃料プールに保管される直前の燃料についての燃料組成データ１４などが含まれる。
【００１９】
使用済み燃料プール３０は、使用済み燃料の崩壊熱を取り除くために、使用済み燃料プール設置機器３により使用済み燃料プール３０の温度や水位などが計測され、図示しない制御装置によって給水および冷却等が制御される。
【００２０】
使用済み燃料プール水監視装置１ａは、使用済み燃料プール設置機器３により計測された使用済み燃料プール３０の温度や水位などの計測値を含む燃料プールプロセスデータ１３を監視すると共に、それに加えて炉心性能計算機２から受信する燃料組成データ１４に基づいて、使用済み燃料プール３０の温度や水位などの計算値を求める。なお、使用済み燃料プール水監視装置１ａの構成について、詳しくは後述する。
【００２１】
次に、使用済み燃料プール設置機器３について説明する。
【００２２】
使用済み燃料プール設置機器３は、燃料プールプロセスデータ生成部３５と、燃料プールデータ送信部３６とを備えている。燃料プールプロセスデータ生成部３５は、少なくとも使用済み燃料プール３０の燃料プール温度、燃料プール水位について計測可能であり、これらの計測値を含む燃料プールプロセスデータ１３を生成する。燃料プールデータ送信部３６は、燃料プールプロセスデータ生成部３５により生成された燃料プールプロセスデータ１３を含む燃料プールデータを、使用済み燃料プール水監視装置１ａに送信する。
【００２３】
具体的には、燃料プールプロセスデータ生成部３５は、燃料プール温度計３１、燃料プール水位計３２、燃料プール給水ポンプ３３、および燃料プール冷却装置３４を有している。これらの機器は使用済み燃料プール３０中およびその近辺に設置される。
【００２４】
燃料プール温度計３１は、使用済み燃料プール３０に設置され、使用済み燃料プール３０の温度（燃料プール温度と記す）を計測する。燃料プール温度計３１は、燃料プール温度の計測値を含む燃料プールプロセスデータ１３−１を生成し、燃料プールデータ送信部３６を介して、使用済み燃料プール水監視装置１ａに送信する。
【００２５】
燃料プール水位計３２は、使用済み燃料プール３０に設置され、使用済み燃料プール３０の水位（燃料プール水位と記す）を計測する。燃料プール水位計３２は、燃料プール水位の計測値を含む燃料プールプロセスデータ１３−２を生成し、燃料プールデータ送信部３６を介して、使用済み燃料プール水監視装置１ａに送信する。
【００２６】
燃料プール給水ポンプ３３は、使用済み燃料プール３０近辺に設置され、図示しない給水漕から水を給水する。燃料プール給水ポンプ３３は、図示しない制御装置からの給水指令に応じて使用済み燃料プール３０に給水すると共に、その給水流量（燃料プール給水流量と記す）を計測する。燃料プール給水ポンプ３３は、燃料プール給水流量の計測値を含む燃料プールプロセスデータ１３−３を生成し、燃料プールデータ送信部３６を介して、使用済み燃料プール水監視装置１ａに送信する。
【００２７】
燃料プール冷却装置３４は、使用済み燃料プール３０に設置され、図示しない制御装置からの冷却指令に応じて燃料プール給水ポンプ３３から給水する水を冷却する。燃料プール冷却装置３４は、燃料プール給水ポンプ３３から給水する水の給水温度（燃料プール給水温度と記す）を計測する。燃料プール冷却装置３４は、燃料プール給水温度の計測値を含む燃料プールプロセスデータ１３−４を生成し、燃料プールデータ送信部３６を介して、使用済み燃料プール水監視装置１ａに送信する。
【００２８】
なお、図１では、燃料プールデータ送信部３６を一つの機能部として図示しているが、燃料プール温度計３１、燃料プール水位計３２、燃料プール給水ポンプ３３、燃料プール冷却装置３４の各々に対応した複数の燃料プールデータ送信部３６を有してもよく、また、それらの計器の組み合わせごとに、複数の燃料プールデータ送信部３６を有してもよい。
【００２９】
以上説明した燃料プールプロセスデータ１３（１３−１〜１３−４）は、燃料プール温度の計測値に加えて、少なくとも燃料プール水位、燃料プール給水流量、および燃料プール給水温度の各々の計測値と、その各々の計測時刻を含む。
【００３０】
次に、使用済み燃料プール水監視装置１ａについて説明する。
【００３１】
使用済み燃料プール水監視装置１ａは、炉心性能計算機２により計算された燃料ごとの燃料組成データ１４、および、使用済み燃料プール設置機器３により生成された燃料プールプロセスデータ１３に基づいて、使用済み燃料プール３０を監視する。すなわち、使用済み燃料プール水監視装置１ａは、使用済み燃料プール３０の温度および水位を、使用済み燃料プール設置機器３を用いて計測して監視するだけでなく、燃料プールデータに基づいてエネルギー保存の法則、質量保存の法則等を用いて計算して監視する。
【００３２】
そのために、使用済み燃料プール水監視装置１ａは、燃料プールデータ受信処理部９、燃料プールデータ記憶部１０、燃料プールデータ現状監視計算部１１、計算値補正部１２ａ、および燃料プールデータ計算結果表示部１５を備えている。
【００３３】
燃料プールデータ受信処理部９は、使用済み燃料プール設置機器３から送信される燃料プールプロセスデータ１３および炉心性能計算機２から送信される使用済み燃料プール３０に保管された燃料ごとの燃料組成データ１４を含む燃料プールデータを受信する。
【００３４】
燃料プールデータ受信処理部９は、前述した燃料プールデータ送信部３６と通信可能に接続されている。例えば、信号ケーブルまたはネットワーク回線等を介して、各計測値を含む燃料プールプロセスデータ１３が送受信される。また、燃料プールデータ受信処理部９は、炉心性能計算機２と通信可能に接続されている。例えば、信号ケーブルまたはネットワーク回線等を介して、燃料組成データ１４が送受信される。
【００３５】
なお、通信可能とは、例えば使用済み燃料プール設置機器３の燃料プールデータ送信部３６から燃料プールデータ受信処理部９への片方向の信号伝送だけでなく、燃料プールデータ送信部３６と燃料プールデータ受信処理部９との間の双方向の信号伝送であってもよい。また、信号ケーブルまたはネットワーク回線等とは、有線もしくは無線、または、それらの組み合せによる信号伝送方式によるものである。
【００３６】
燃料プールデータ記憶部１０は、燃料プールデータ受信処理部９により受信した燃料プールプロセスデータ１３と、同じく使用済み燃料プール３０に保管された燃料ごとに受信した燃料組成データ１４とを記憶する。燃料プールデータ記憶部１０には、燃料プール温度、燃料プール水位、燃料プール給水流量、および燃料プール給水温度の各計測値とその計測時刻が燃料プールプロセスデータ１３ａとして記憶される。
【００３７】
また、燃料プールデータ記憶部１０には、燃料ごとの燃料組成データ１４およびその計算された計算時刻が燃料組成データ１４ａとして記憶される。また、燃料プールデータ記憶部１０には、この他にも燃料プールデータ現状監視計算部１１により計算された計算結果が記憶される。
【００３８】
燃料プールデータ現状監視計算部１１は、燃料プールデータ記憶部１０に記憶された燃料組成データ１４ａに基づいて、使用済み燃料プール３０に保管された燃料の発熱量１１−１を計算する。さらに、燃料プールデータ現状監視計算部１１は、計算した燃料の発熱量１１−１および燃料プールプロセスデータ１３ａに基づいて、燃料プールの現在（直近）の温度（補正前の燃料プール温度の計算値１１−２）を計算する。
【００３９】
計算値補正部（現状計算値補正部）１２ａは、燃料プールデータ現状監視計算部１１により計算された補正前の燃料プール温度の計算値１１−２と、燃料プールプロセスデータ１３ａに含まれる燃料プール温度の計測値とを比較して誤差（差分）を計算し、燃料プール温度の補正係数１２−１を算出する。
【００４０】
燃料プールデータ現状監視計算部１１は、算出された燃料プール温度の補正係数１２−１を用いて、補正前の燃料プール温度の計算値１１−２を補正し、補正後の燃料プール温度の計算値１２−２を得る。
【００４１】
燃料プールデータ計算結果表示部１５は、燃料プールデータ現状監視計算部１１により計算された計算結果（補正後の燃料プール温度の計算値１２−２等）や燃料プールプロセスデータ１３ａおよび燃料組成データ１４ａのデータについて表示する。
【００４２】
また、燃料プールデータ計算結果表示部１５は、例えば、これらのデータ等を中央制御室に設置された表示装置に出力してもよい。また、燃料プールデータ計算結果表示部１５は、燃料プール温度や燃料プール水位のこれらの計算値についてある一定の範囲を超えた場合に、表示装置に警報を表示してもよい。
【００４３】
以上のような使用済み燃料プール水監視装置１ａによれば、中央制御室の運転員等が、計測された燃料プール温度や燃料プール水位等をリアルタイムに監視すると共に、燃料プールの温度計が故障した場合にも、計算した燃料プール温度により継続して監視することができる。
【００４４】
また、前述したように、計算された燃料プール温度等の計算値は計測値に基づいた補正係数によって補正されるため、外乱や微小な変動等を除外した一定条件による計算よりも計算精度が高くなる。これにより、より正確な使用済み燃料プール水監視を行うことができる。
【００４５】
次に、図２に示す使用済み燃料プール水監視装置１ａが実行する燃料プール水計算処理動作を説明する。なお、図２は、図１に示す使用済み燃料プール水監視装置１ａの構成から主に燃料プール水計算処理に関わる機能部を抽出して示したものである。
【００４６】
燃料プールデータ受信処理部９は、使用済み燃料プール設置機器３から燃料プールプロセスデータ１３および炉心性能計算機２から燃料組成データ１４を含む燃料プールデータを受信する。詳細には、燃料プールデータ受信処理部９は、燃料プール温度計３１から燃料プール温度の計測値を含む燃料プールプロセスデータ１３−１を受信する。また、燃料プールデータ受信処理部９は、その他の燃料プール水位計３２、燃料プール給水ポンプ３３および燃料プール冷却装置３４から、燃料プール水位、燃料プール給水流量および燃料プール給水温度の計測値を含む燃料プールプロセスデータ１３−２〜１３−４を受信する。
【００４７】
燃料プールデータ現状監視計算部１１は、燃料プールデータ記憶部１０に記憶された使用済み燃料プール３０に保管された燃料ごとの燃料組成データ１４ａに基づいて、当該燃料の発熱量１１−１を計算する。なお、燃料の発熱量１１−１は、使用済み燃料プール３０に保管された燃料の発熱量の総計である。
【００４８】
また、燃料プールデータ現状監視計算部１１は、燃料プールデータ記憶部１０に記憶された燃料プールプロセスデータ１３ａに基づいて、燃料プール水位から水容積を計算する。さらに、燃料プールデータ現状監視計算部１１は、計算した燃料の発熱量１１−１と水容積、および、燃料プールデータ記憶部１０に記憶された燃料プール給水流量と燃料プール給水温度に基づいて、補正前の燃料プール温度の計算値１１−２を計算する。
【００４９】
計算された補正前の燃料プール温度の計算値１１−２は、外乱や微小な変動等を除外した一定条件における計算であるため、計測値との誤差（差分）が生じる。このため、計算値補正部１２ａは、燃料プール温度計３１から送信された燃料プール温度の計測値と燃料プールデータ現状監視計算部１１にて計算された補正前の燃料プール温度の計算値１１−２とを比較し、それらの誤差を計算して燃料プール温度の補正係数１２−１を算出する。
【００５０】
さらに、燃料プールデータ現状監視計算部１１は、燃料プール温度の補正係数１２−１を用いて、補正後の燃料プール温度の計算値１２−２を計算する。この補正後の燃料プール温度の計算値１２−２が、燃料プールデータ計算結果表示部１５により表示装置に表示される。
【００５１】
以上により、例えば燃料プール温度計３１やその接続信号ケーブル等の故障により、燃料プール温度計３１から燃料プール温度の計測値を含む燃料プールプロセスデータ１３−１が直接得られない場合にも、使用済み燃料プール水監視装置１ａは、燃料プール水位、燃料プール給水流量および燃料プール給水温度の計測値を含む燃料プールプロセスデータ１３−２〜１３−４と、燃料の発熱量１１−１とに基づいて、補正前の燃料プール温度の計算値１１−２を算出することができる。
【００５２】
さらに、使用済み燃料プール水監視装置１ａは、前述した故障直前の燃料プール温度の補正係数１２−１を用いて、補正前の燃料プール温度の計算値１１−２を補正することにより、補正後の燃料プール温度の計算値１２−２を算出することができる。
【００５３】
なお、図２の例では、燃料プール温度の計算値の一例を用いて示したが、この他にも、燃料プール温度に代わり、燃料プール水位に代えた場合についても、同様に計算値を算出できることは言うまでもない。
【００５４】
また、例えば、燃料プール温度計３１やその信号ケーブル等の故障および燃料プール水位計３２やその信号ケーブル等の故障により、燃料プール温度の計測値および燃料プール水位の計測値が直接得られない場合についても、以下に示す（式１）〜（式５）により、燃料プール温度の計算値および燃料プール水位の計算値を得ることができる。
【００５５】
「予測温度」＝「故障直前の燃料プール温度の計測値」＋「発熱上昇温度」−「給水温度差」・・・（式１）
また、発熱上昇温度は（式２）より算出する。
【００５６】
「発熱上昇温度」＝「燃料の発熱量１１−１」／「燃料プール水量」・・・（式２）
また、（式２）の「燃料プール水量」は、燃料プール水位の計測値または計算値を用いて算出する。
【００５７】
「燃料プール水量」＝「燃料プールの面積」×「燃料プール水位」・・・（式３）
ここで、（式３）の「燃料プールの面積」は、使用済み燃料プール３０の重力方向に対する横断面の面積であり、例えばこの値は予め燃料プールデータ現状監視計算部１１に記憶される。（式１）の「給水温度差」は、燃料プール温度と燃料プール給水温度の差分である。それぞれの温度と燃料プール水量および給水水量の比率により求められる。したがって、（式１）は、次の（式４）に置き換えることができる。
【００５８】
「予測温度」＝「故障直前の燃料プール温度の計測値」＋「燃料の発熱量１１−１」／（「燃料プールの面積」×「燃料プール水位」）−「給水温度差」・・・（式４）
ただし、（式４）では、燃料プール水位（燃料プール水量の算出元）が不明である場合に、予測温度を計算することができない。そのため、そのような場合には以下の（式５）および（式６）により「予測水位」を算出して、（式４）の「燃料プール水位」に代入する。
【００５９】
「予測水位」＝「故障直前の燃料プール水位の計測値」＋「給水流量」−「蒸発水量」・・・（式５）
「蒸発水量」＝「燃料の発熱量１１−１」／「水の気化熱」・・・（式６）
ただし、予測温度が１００℃より低い場合には、蒸発水量０近傍とすることができる。「水の気化熱」は例えば燃料プールデータ記憶部１０などの記憶手段に予め記憶されている。
【００６０】
以上により、使用済み燃料プール水監視装置１ａによれば、燃料プール温度計３１やその信号ケーブル等の故障および燃料プール水位計３２やその信号ケーブル等の故障により、燃料プール温度の計測値および燃料プール水位の計測値が直接得られない場合でも、継続して燃料プール温度の予測温度および燃料プール水位の予測水位を監視することができる。
【００６１】
次に、図３を参照しながら、使用済み燃料プール水監視装置１ａの使用済み燃料プール水監視処理フローを説明する。
【００６２】
使用済み燃料プール水監視処理フローは、例えば使用済み燃料プール水監視装置１ａのパワーオン後、以下のステップＳ１の処理が開始される。
【００６３】
燃料プールデータ受信処理部９が、使用済み燃料プール設置機器３から燃料プールプロセスデータ１３を受信し、炉心性能計算機２から燃料組成データ１４を受信する（ステップＳ１）。
【００６４】
次に、燃料プールデータ受信処理部９が、受信した燃料プールプロセスデータ１３および燃料組成データ１４を燃料プールデータ記憶部１０に記憶する（ステップＳ２）。
【００６５】
次に、燃料プールデータ現状監視計算部１１が、燃料プールデータ記憶部１０に記憶された燃料組成データ１４ａに基づいて使用済み燃料プール３０に保管された燃料の発熱量１１−１を計算し、計算された燃料の発熱量１１−１および燃料プールプロセスデータ１３ａに基づいて直近の燃料プール温度の計算値１１−２を計算する（ステップＳ３）。
【００６６】
燃料プールデータ受信処理部９が燃料プール温度の計測値を取得できた場合には（ステップＳ４のＹｅｓ）、処理をステップＳ５に進める。一方、燃料プール温度の計測値を取得できなかった場合には（ステップＳ４のＮｏ）、処理をステップＳ８に進める。
【００６７】
計算値補正部１２ａが、燃料プール温度の計算値１１−２と燃料プールプロセスデータ１３ａに含まれる燃料プール温度の計測値とを比較して、当該比較した値により燃料プール温度の計算値１１−２の補正を行うため、燃料プール温度の補正係数１２−１を算出する（ステップＳ５）。
【００６８】
次に、燃料プールデータ現状監視計算部１１が、燃料プール温度の補正係数１２−１に基づいて燃料プール温度の計算値１１−２を補正し、補正後の燃料プール温度の計算値１２−２を燃料プールデータ記憶部１０に記憶する（ステップＳ６）。
【００６９】
次に、燃料プールデータ計算結果表示部１５が、燃料プールプロセスデータ１３ａおよび補正後の燃料プール温度の計算値１２−２を表示する（ステップＳ７）。ステップＳ７の後に、処理がステップＳ１に戻る。
【００７０】
一方、燃料プール温度の計測値を取得できなかった場合、燃料プールデータ現状監視計算部１１が、燃料プールデータ記憶部１０から直近の燃料プール温度の補正係数１２−１を取得する（ステップＳ８）。ステップＳ８の後、処理をステップＳ６に移し、ステップＳ６以降の処理を同様に実施する。
【００７１】
第１の実施形態によれば、使用済み燃料プールの燃料プール温度や燃料プール水位をリアルタイムに監視し、中央制御室の運転員等に注意を喚起することができる。また、使用済み燃料プールの燃料プール温度および燃料プール水位を直接計測することができなくなった場合においても、燃料プール温度および燃料プール水位の計算値により継続して監視することができる。また、燃料プール温度および燃料プール水位の計算値は、計測値に基づいた補正係数によって補正されるため、外乱や微小な変動等を除外した一定条件による計算よりも計算精度が高くなる。計算精度が高いことで、より精度の高い使用済み燃料プール水監視を行うことができる。
【００７２】
［第２の実施形態］
図４は、本発明に係る使用済み燃料プール水監視システムの第２の実施形態の構成を示すブロック図である。なお、第１の実施形態と同一または類似の構成には、共通の符号を付し、重複する説明は省略する。また、第２の実施形態以降の実施形態についても同様である。
【００７３】
図４に示すように、使用済み燃料プール水監視システム５０ｂは、使用済み燃料プール水監視装置１ｂと、使用済み燃料プール設置機器３と、炉心性能計算機２と、プロセス計算機４とを備えている。図４に示す使用済み燃料プール水監視システム５０ｂの構成は、図１に示す使用済み燃料プール水監視システム５０ａの構成に比べて、使用済み燃料プール水監視装置１ｂが相違する。
【００７４】
具体的には、図４に示す使用済み燃料プール水監視装置１ｂは、図１に示す使用済み燃料プール水監視装置１ａと比べて、予測計算値補正部１２ｂおよび燃料プールデータ予測計算部１６をさらに備えた構成である。その他の構成は、第１の実施形態の構成と同様である。
【００７５】
これにより、第１の実施形態の使用済み燃料プール水監視装置１ａでは、直近の燃料プール温度の予測温度および燃料プール水位の予測水位を求めているが、第２の実施形態の使用済み燃料プール水監視装置１ｂでは、さらに、より長い時間経過後の燃料プール温度の予測温度および燃料プール水位の予測水位を求めることができる。以下、図４を参照しながら、使用済み燃料プール水監視装置１ｂの構成について説明する。
【００７６】
使用済み燃料プール水監視装置１ｂは、燃料プールデータ記憶部１０に記憶された燃料プールプロセスデータ１３ａおよび燃料組成データ１４ａに基づいて、使用済み燃料の冷却期間とする将来の発熱量を予測計算する。
【００７７】
具体的には、燃料プールデータ予測計算部１６は、現在の時刻または予測開始時刻からの経過時間を任意に設定し、燃料組成データ１４ａに基づいて経過時間分の総発熱量を計算する。さらに、燃料プールデータ予測計算部１６は、燃料プールプロセスデータ１３ａから現在の時刻または予測開始時刻に直近の燃料プール温度、水位、給水流量および給水温度の計測値を抽出し、経過時間分の総発熱量と抽出した現在の時刻または予測開始時刻の燃料プール温度、水位、給水流量および給水温度の計測値に基づいて、設定した経過時間後の使用済み燃料プール３０の予測温度を計算する。また、使用済み燃料プール３０の予測温度がある一定以上になると、蒸発水により水容積が減少するため、燃料プールデータ予測計算部１６は、前述したような熱量の計算式により燃料プール水位（予測水位）について計算する。
【００７８】
これらの予測された計算値（予測温度および予測水位）は、実際の環境で発生し得る様々な外乱や微小な変動が考慮されていないため、実際の計測値とは誤差が生じる可能性がある。
【００７９】
そのために、計算値補正部（予測計算値補正部）１２ｂは、燃料プールデータ予測計算部１６により計算された燃料プール温度の予測温度と、燃料プールプロセスデータ１３ａに含まれる燃料プール温度の計測値とを比較して誤差を計算し、燃料プール温度の予測温度について補正係数を算出する。
【００８０】
また、燃料プールデータ予測計算部１６により計算された燃料プール水位の予測水位と、燃料プールプロセスデータ１３ａに含まれる燃料プール水位の計測値とを比較して誤差を計算し、燃料プール水位の予測水位について補正係数を算出する。
【００８１】
燃料プールデータ予測計算部１６は、前述した予測計算を周期的に実行し、その都度、計算値補正部１２ｂにより予測計算値と計測値との誤差から補正係数を求めて、予測計算値に補正係数を用いることにより補正後の予測計算値を計算する。
【００８２】
燃料プールデータ計算結果表示部１５では、燃料プールデータ予測計算部１６により計算された計算結果を表示すると共に、予測計算結果がある一定の範囲（警報範囲）を超えた場合には、予測警報を表示する。
【００８３】
以上により、使用済み燃料プール水監視装置１ｂは、予測経過時間における燃料プール温度および燃料プール水位の予測計算値を精度よく求めることができる。
【００８４】
第２の実施形態によれば、第１の実施形態の効果に加えて、使用済み燃料プールの燃料プール温度および燃料プール水位の変化を予測することができる。また、予測計算値は、計測値と予測計算値の差分から求められた補正係数を考慮して補正しているため、より高い精度での予測計算値を運転員に提供することができる。
【００８５】
さらに、予測結果に応じて予測警報を表示することで、使用済み燃料プールの温度上昇や水位の下降が実際に発生する前に対処することが可能となり、安全性の向上を図ることができる。
【００８６】
［第３の実施形態］
図５は、本発明に係る使用済み燃料プール水監視システムの第３の実施形態の構成を示すブロック図である。
【００８７】
図５に示すように、使用済み燃料プール水監視システム５０ｃは、使用済み燃料プール水監視装置１ｃと、使用済み燃料プール設置機器３と、炉心性能計算機２と、プロセス計算機４とを備えている。図５に示す使用済み燃料プール水監視システム５０ｃの構成は、図４に示す使用済み燃料プール水監視システム５０ｂの構成に比べて、使用済み燃料プール水監視装置１ｃが相違する。
【００８８】
具体的には、図５に示す使用済み燃料プール水監視装置１ｃは、図４に示す使用済み燃料プール水監視装置１ｂに、予測計算可変パラメータ入力部１７をさらに備えた構成である。その他の構成は、第２の実施形態と同様である。
【００８９】
予測計算可変パラメータ入力部１７は、燃料組成データ、燃料プール水位、燃料プール給水流量、燃料プール給水温度、経過時間等の値を、外部から（例えば運転員が入力操作などにより）任意に入力するための入力手段である。
【００９０】
予測計算可変パラメータ入力部１７は、例えば運転員（オペレータ）から各パラメータ（燃料組成データ、燃料プール温度、燃料プール水位、燃料プール給水流量、燃料プール給水温度等）の計算条件を受け付ける。予測計算可変パラメータ入力部１７は、受け付けた計算条件を、燃料プールデータ予測計算部１６に出力する。予測計算可変パラメータ入力部１７は、少なくとも燃料組成データ、燃料プール水位、給水流量、給水温度のいずれか一つの計算条件を受け付け、受け付けた計算条件を燃料プールデータ予測計算部１６に計算値の少なくともいずれか一つとして与える（出力する）。
【００９１】
これにより、燃料プールデータ予測計算部１６は、予測計算可変パラメータ入力部１７から出力された計算条件をもとに、燃料組成データ１４ａに基づいて使用済み燃料プール３０に保管された燃料の発熱量を計算し、燃料プール水位、燃料プール給水流量、燃料プール給水温度、経過時間などを用いて、燃料プール温度の予測計算を行う。予測計算された値や入力されたパラメータは、燃料プールデータ計算結果表示部１５に表示される。
【００９２】
第３の実施形態によれば、第２の実施形態の効果に加えて、燃料組成データ、燃料プール水位、燃料プール給水流量、燃料プール給水温度等の計算条件を任意に設定することができるため、現在の使用済み燃料プールの環境条件以外にも、様々な環境に応じた予測計算を行うことができる。また、使用済み燃料プールへの給水量（注入量）を増やした場合に、燃料プール温度がどの程度低下するか等の予測監視を容易に行うことができる。
【００９３】
［第４の実施形態］
図６は、本発明に係る使用済み燃料プール水監視システムの第４の実施形態の構成を示すブロック図である。
【００９４】
図６に示すように、使用済み燃料プール水監視システム５０ｄは、使用済み燃料プール水監視装置１ｄと、使用済み燃料プール設置機器３ｄと、炉心性能計算機２と、プロセス計算機４とを備えている。図６に示す使用済み燃料プール水監視システム５０ｄの構成は、図４に示す使用済み燃料プール水監視システム５０ｂの構成に比べて、使用済み燃料プール水監視装置１ｄおよび使用済み燃料プール設置機器３ｄが相違する。
【００９５】
具体的には、図６に示す使用済み燃料プール水監視装置１ｄは、図４に示す使用済み燃料プール水監視装置１ｂに比べて、燃料プール制御値計算部１８と、燃料プール制御値送信部１９とをさらに備えた構成である。その他の構成は、第２の実施形態と同様である。
【００９６】
燃料プール制御値計算部１８は、燃料プールデータ予測計算部１６により予測計算された燃料プール温度、現状の燃料プール給水流量および給水温度に基づいて、燃料プール温度を一定に保つための燃料プール給水流量および給水温度の目標値を算出する。さらに、燃料プール制御値計算部１８は、これらの目標値から燃料プール給水ポンプ３３の給水流量の出力および燃料プール冷却装置３４の冷却出力の目標値を計算する。
【００９７】
燃料プール制御値送信部１９は、燃料プール制御値計算部１８により計算した目標値を燃料プール給水ポンプ３３および燃料プール冷却装置３４に送信する。燃料プール給水ポンプ３３および燃料プール冷却装置３４はこの目標値を受信すると、この目標値に追従するように機器の出力を自動制御する。自動制御は、例えばフィードバック制御、ＰＩＤ制御等である。
【００９８】
また、燃料プールデータ計算結果表示部１５は、燃料プール制御値計算部１８により計算された使用済み燃料プール３０の温度を一定に保つための燃料プール給水流量および給水温度の目標値と、燃料プール給水ポンプ３３および燃料プール冷却装置３４により計測された出力値（給水流量および給水温度の計測値）とを表示する。
【００９９】
また、図６に示す使用済み燃料プール設置機器３ｄは、図４に示す使用済み燃料プール設置機器３と比べて、燃料プールデータ送受信部３６ｄを備えた構成である。
【０１００】
燃料プールデータ送受信部３６ｄは、燃料プールプロセスデータ１３を送信するだけでなく、燃料プール制御値送信部１９から送信される燃料プール給水ポンプ３３および燃料プール冷却装置３４の出力の目標値を含むデータを受信する。燃料プールデータ送受信部３６ｄは、受信したこれらの目標値を、燃料プール給水ポンプ３３および燃料プール冷却装置３４に出力する。これにより、使用済み燃料プール３０の燃料プール給水ポンプ３３および燃料プール冷却装置３４の各機器を目標値に追従するように制御させることができる。
【０１０１】
第４の実施形態によれば、第２の実施形態の効果に加えて、燃料プール給水ポンプおよび燃料プール冷却装置を自動制御するための制御値を送信することができるため、手動による誤操作の防止や操作時間の短縮を図ることができる。
【０１０２】
［第５の実施形態］
図７は、本発明に係る使用済み燃料プール水監視システムの第５の実施形態の構成を示すブロック図である。
【０１０３】
図７に示すように、使用済み燃料プール水監視システム５０ｅは、使用済み燃料プール水監視装置１ｅと、使用済み燃料プール設置機器３ｄと、プロセス計算機４とを備えている。図７に示す使用済み燃料プール水監視システム５０ｅの構成は、図６に示す使用済み燃料プール水監視システム５０ｄの構成に比べて、使用済み燃料プール水監視装置１ｅが相違し、また、炉心性能計算機２を備えていない。
【０１０４】
具体的には、図７に示す使用済み燃料プール水監視装置１ｅは、図６に示す使用済み燃料プール水監視装置１ｄと比べて、図６に示す炉心性能計算機２が有する機能部をさらに備えている。その他の構成は、第４の実施形態と同様である。
【０１０５】
ここで、図７の使用済み燃料プール水監視装置１ｅの構成について説明する前に、前述した図６に示す炉心性能計算機２の構成の一例について説明する。図８は、図６に示す炉心性能計算機２の構成の一例を示すブロック図である。
【０１０６】
炉心性能計算機２は、図８に示すように、炉心データ受信処理部２−１、炉心データ現状監視計算部２−２、炉心データ予測計算部２−３、炉心データ記憶部２−４、炉心データ計算結果表示部２−５、および炉心データ送信処理部２−６を備えている。
【０１０７】
炉心データ受信処理部２−１は、プロセス計算機４から燃料配置、原子炉熱水力、制御棒位置およびその他のプロセス値を含む原子炉データを受信する。
【０１０８】
炉心データ現状監視計算部２−２は、受信した原子炉データに基づいて、炉心内の中性子の出力分布、燃料組成データなどを含む炉心データを計算する。炉心データ現状監視計算部２−２は、計算した炉心データを炉心データ記憶部２−４に記憶する。
【０１０９】
炉心データ予測計算部２−３は、任意の炉心状態から発電機出力、炉心流量、制御棒位置などの少なくともいずれか一つの炉心パラメータを変化させた時の中性子出力分布を計算（予測計算）する。
【０１１０】
炉心データ記憶部２−４は、前述したように、受信した原子炉データや、炉心データ現状監視計算部２−２および炉心データ予測計算部２−３により計算された結果（炉心データを含む）を保存する。
【０１１１】
炉心データ計算結果表示部２−５は、炉心データ現状監視計算部２−２および炉心データ予測計算部２−３により計算した結果を表示する。
【０１１２】
炉心データ送信処理部２−６は、炉心データ記憶部２−４に保存された炉心データや、炉心データ現状監視計算部２−２および炉心データ予測計算部２−３により計算された結果をプロセス計算機４に送信する。
【０１１３】
次に、図７に示す使用済み燃料プール水監視装置１ｅの構成について説明する。図７に示す使用済み燃料プール水監視装置１ｅは、図８に示す炉心性能計算機２の各機能部および図６に示す使用済み燃料プール水監視装置１ｄの各機能部を備えた構成である。
【０１１４】
具体的には、使用済み燃料プール水監視装置１ｅは、共通受信部２０、共通データ記憶部２１、共通現状監視計算部２２、共通予測計算部２３、共通表示部２４、および共通送信処理部２５を備えている。
【０１１５】
共通受信部２０は、燃料プールデータ受信処理部９と炉心データ受信処理部２−１とを有する。燃料プールデータ受信処理部９は、使用済み燃料プール設置機器３ｄから送信される燃料プールプロセスデータ１３を受信する。また、炉心データ受信処理部２−１は、プロセス計算機４から原子炉熱水力、制御棒位置およびその他のプロセス値を含む炉心データを受信する。炉心データ受信処理部２−１は、プロセス計算機４と通信可能に接続されている。例えば、信号ケーブルまたはネットワーク回線等を介して、原子炉データが送受信される。
【０１１６】
共通受信部２０は、これら受信したデータを、共通データ記憶部２１に格納（記憶）する。
【０１１７】
共通データ記憶部２１は、燃料プールデータ記憶部１０と炉心データ記憶部２−４とを有する。共通データ記憶部２１は、例えば記憶領域を区分して、一の記憶領域を燃料プールデータ記憶部１０とし、他の一の記憶領域を炉心データ記憶部２−４とする。
【０１１８】
燃料プールデータ記憶部１０には、使用済み燃料プール設置機器３ｄから送信された燃料プールプロセスデータ１３が記憶される。また、炉心データ記憶部２−４には、炉心データが記憶される。また、この他の記憶領域には、共通現状監視計算部２２および共通予測計算部２３により計算された計算結果などが格納される。
【０１１９】
共通現状監視計算部２２は、燃料プールデータ現状監視計算部１１と、計算値補正部１２ａと、炉心データ現状監視計算部２−２とを有する。
【０１２０】
燃料プールデータ現状監視計算部１１は、炉心データ記憶部２−４に記憶された炉心データに基づいて、使用済み燃料プール３０に保管された燃料の燃料組成データを計算する。燃料プールデータ現状監視計算部１１は、燃料プールデータ記憶部１０に記憶された燃料組成データに基づいて、燃料の発熱量１１−１を計算する。さらに、燃料プールデータ現状監視計算部１１は、計算した燃料の発熱量１１−１および燃料プールプロセスデータ１３に基づいて、使用済み燃料プール３０の現状（直近）の温度（前述した燃料プール温度の計算値１１−２）を計算する。なお、燃料プールデータ現状監視計算部１１は、炉心データ記憶部２−４に計算した燃料組成データを記憶する。
【０１２１】
計算値補正部１２ａは、燃料プールデータ現状監視計算部１１により計算された燃料プール温度の計算値１１−２と燃料プールプロセスデータ１３に含まれる燃料プール温度の計測値とを比較して誤差を計算し、燃料プール温度の補正係数１２−１を算出する。
【０１２２】
燃料プールデータ現状監視計算部１１は、計算値補正部１２ａにより算出された燃料プール温度の補正係数１２−１を用いて、燃料プール温度の計算値１１−２を補正し、補正後の燃料プール温度の計算値１２−２を算出する。燃料プールデータ現状監視計算部１１は、補正後の燃料プール温度の計算値１２−２を、燃料プールデータ記憶部１０に記憶する。
【０１２３】
炉心データ現状監視計算部２−２は、炉心データ記憶部２−４に記憶された炉心データに基づいて、炉心内の中性子の出力分布などを計算する。
【０１２４】
共通予測計算部２３は、計算値補正部１２ｂと、燃料プールデータ予測計算部１６と、燃料プール制御値計算部１８と、炉心データ予測計算部２−３とを有する。
【０１２５】
燃料プールデータ予測計算部１６は、現在の時刻または予測開始時刻からの経過時間を任意に設定し、炉心データ記憶部２−４に記憶された燃料組成データおよび使用済み燃料の冷却期間に基づいて経過時間分の総発熱量（予測発熱量）を計算する。さらに、燃料プールデータ予測計算部１６は、経過時間分の総発熱量と現在の燃料プール温度、燃料プール水位、燃料プール給水流量および燃料プール給水温度に基づいて、設定した経過時間後の燃料プールの予測温度および燃料プールの予測水位を計算する。
【０１２６】
計算値補正部１２ｂについては、図４に示す計算値補正部１２ｂの機能と同様であり、また、燃料プール制御値計算部１８については、図６に示す燃料プール制御値計算部１８の機能と同様であるため、ここではそれらの説明は省く。
【０１２７】
炉心データ予測計算部２−３は、任意の炉心状態から発電機出力、炉心流量、制御棒位置などの少なくともいずれか一つの炉心パラメータを変化させた時の中性子出力分布を計算する。
【０１２８】
共通表示部２４は、燃料プールデータ計算結果表示部１５と炉心データ計算結果表示部２−５とを有する。
【０１２９】
燃料プールデータ計算結果表示部１５では、燃料プールデータ予測計算部１６により計算された計算結果を表示すると共に、予測計算結果がある一定の範囲（警報範囲）を超えた場合には、予測警報を表示する。燃料プールデータ計算結果表示部１５は、例えば燃料プールプロセスデータ、燃料プールの予測温度および燃料プールの予測水位などを表示する。
【０１３０】
炉心データ計算結果表示部２−５は、炉心データ現状監視計算部２−２および炉心データ予測計算部２−３により計算した中性子出力分布を計算などの結果を表示する。
【０１３１】
共通送信処理部２５は、燃料プール制御値送信部１９と炉心データ送信処理部２−６とを有する。
【０１３２】
燃料プール制御値送信部１９は、燃料プール制御値計算部１８により計算した目標値を燃料プール給水ポンプ３３および燃料プール冷却装置３４に送信する。燃料プールデータ送受信部３６ｄを介して、燃料プール給水ポンプ３３および燃料プール冷却装置３４がこれらの目標値を受信すると、目標値に追従するように機器の出力を自動制御する。自動制御は、例えばフィードバック制御、ＰＩＤ制御等である。
【０１３３】
炉心データ送信処理部２−６は、炉心データ記憶部２−４に記憶された炉心データや、炉心データ現状監視計算部２−２および炉心データ予測計算部２−３により計算された結果をプロセス計算機４に送信する。
【０１３４】
共通受信部２０、共通現状監視計算部２２、共通予測計算部２３、共通表示部２４、および共通送信処理部２５については、例えばそれぞれに共通のソフトウェアフレームワークとなる。共通のソフトウェアフレームワークとは、プログラミングにおいて、特定のオペレーティングシステムのためのソフトウェアの標準構造を実装するのに使われるクラスやライブラリの集まりである。
【０１３５】
例えば、共通現状監視計算部２２は、使用済み燃料プール計算用と炉心性能計算用とで入力データや各々の計算式が異なるため、ソフトウェアのプログラム処理としては燃料プールデータ現状監視計算部１１と炉心データ現状監視計算部２−２とでの処理に分かれるものの、ソフトウェアフレームワークとハードウェアを共通化することができる。このことは、その他の共通受信部２０、共通予測計算部２３、共通表示部２４、共通送信処理部２５についても同様である。
【０１３６】
第５の実施形態によれば、使用済み燃料プール水監視装置が、炉心性能計算機の機能を備えることができる。したがって、第４の実施形態の効果に加えて、さらに原子力発電所内に設置する炉心性能計算機用の設置スペースを削減することができる。
【０１３７】
また、別途に備えた場合の炉心性能計算機とのデータ送受信が使用済み燃料プール水監視装置内で完結するため、信号伝送などで発生する可能性のある伝送エラーや、ケーブル断線による影響を排除することができる。これにより、システム全体の信頼性が向上する。また、ハードウェアを共通化するため、導入費用の削減を図ることができる。
【０１３８】
［他の実施形態］
以上、本発明のいくつかの実施形態を説明したが、これらの実施形態は、例として提示したものであり、発明の範囲を限定することは意図していない。例えば、各実施形態の特徴を組み合わせてもよい。さらに、これらの実施形態は、その他の様々な形態で実施されることが可能であり、発明の要旨を逸脱しない範囲で、種々の省略、置き換え、変更を行うことができる。これら実施形態やその変形には、発明の範囲や要旨に含まれると同様に、特許請求の範囲に記載された発明とその均等の範囲に含まれるものである。
【符号の説明】
【０１３９】
１ａ、１ｂ、１ｃ、１ｄ、１ｅ…使用済み燃料プール水監視装置、２…炉心性能計算機、２−１…炉心データ受信処理部、２−２…炉心データ現状監視計算部、２−３…炉心データ予測計算部、２−４…炉心データ記憶部、２−５…炉心データ計算結果表示部、２−６…炉心データ送信処理部、３、３ｄ…使用済み燃料プール設置機器、４…プロセス計算機、９…燃料プールデータ受信処理部、１０…燃料プールデータ記憶部、１１…燃料プールデータ現状監視計算部、１１−１…燃料の発熱量、１１−２…燃料プール温度の計算値（補正前）、１２ａ…計算値補正部（現状計算値補正部）、１２ｂ…計算値補正部（予測計算値補正部）、１２−１…燃料プール温度の補正係数、１２−２…燃料プール温度の計算値（補正後）、１３、１３ａ…燃料プールプロセスデータ、１３−１…燃料プール温度の計測値を含む燃料プールプロセスデータ、１３−２…燃料プール水位の計測値を含む燃料プールプロセスデータ、１３−３…燃料プール給水流量の計測値を含む燃料プールプロセスデータ、１３−４…燃料プール給水温度の計測値を含む燃料プールプロセスデータ、１４、１４ａ…燃料組成データ、１５…燃料プールデータ計算結果表示部、１６…燃料プールデータ予測計算部、１７…予測計算可変パラメータ入力部、１８…燃料プール制御値計算部、１９…燃料プール制御値送信部、２０…共通受信部、２１…共通データ記憶部、２２…共通現状監視計算部、２３…共通予測計算部、２４…共通表示部、２５…共通送信処理部、３０…使用済み燃料プール（燃料プール）、３１…燃料プール温度計、３２…燃料プール水位計、３３…燃料プール給水ポンプ、３４…燃料プール冷却装置、３５…燃料プールプロセスデータ生成部、３６…燃料プールデータ送信部、３６ｄ…燃料プールデータ送受信部、５０ａ、５０ｂ、５０ｃ、５０ｄ、５０ｅ…使用済み燃料プール水監視システム
【図１】
2014074657.tif 000003
【図２】
2014074657.tif 000004
【図３】
2014074657.tif 000005
【図４】
2014074657.tif 000006
【図５】
2014074657.tif 000007
【図６】
2014074657.tif 000008
【図７】
2014074657.tif 000009
【図８】
2014074657.tif 000010